(57)【要約】【課題】環境中からアレルゲンを含む粉塵などを採取するために使用されるサンプリング装置において、吸引力を低下させないでアレルゲンを含む粉塵などをサンプリングすることを目的とする。【解決手段】集塵装置１を備えたサンプリング装置２は吸引管３に装着して用いられる。また、集塵装置１は電気集塵装置４で構成されている。空気の吸引にあわせて電気集塵装置４の高電圧電源５を通電開始すると、開口部８から吸引された粉塵９は放電極６の近傍を通過する際に負に帯電されるので、集塵板７に引き寄せられて吸着する。低圧力損失の集塵装置として電気集塵装置を利用しているので、吸引管により与えられる空気の吸引力を低下させないでアレルゲンを含む粉塵などをサンプリングすることができるサンプリング装置を得られる。【選択図】図１
2006250680.tif 000002
【特許請求の範囲】
【請求項１】
吸引管に装着するサンプリング装置において、低圧力損失の集塵装置を備えたことを特徴とするサンプリング装置。
【請求項２】
吸引管に装着するサンプリング装置において、電気集塵装置を備えたことを特徴とするサンプリング装置。
【請求項３】
粉塵が通過する流路を吸引管よりも拡大した電気集塵装置を備えたことを特徴とする請求項２記載のサンプリング装置。
【請求項４】
粉塵の質量差でサンプリング対象を選択できる集塵装置を備えたことを特徴とする請求項１〜３のいずれかに記載のサンプリング装置。
【請求項５】
粉塵が通過する流路を重力方向に沿って配置した電気集塵装置を備えたことを特徴とする請求項１〜４のいずれかに記載のサンプリング装置。
【請求項６】
付着した粉塵の採取手段を備えたことを特徴とする請求項１〜５のいずれかに記載のサンプリング装置。
【請求項７】
付着した粉塵を採取する拭き取り治具を備えたことを特徴とする請求項１〜５のいずれかに記載のサンプリング装置。
【請求項８】
付着した粉塵を採取する洗浄手段を備えたことを特徴とする請求項１〜５のいずれかに記載のサンプリング装置。
【請求項９】
付着した粉塵を採取する振動手段を備えたことを特徴とする請求項１〜５のいずれかに記載のサンプリング装置。
【請求項１０】
請求項１〜９のいずれかに記載のサンプリング装置を有する掃除機。
【請求項１１】
請求項１〜９のいずれかに記載のサンプリング装置を有する空気清浄機。
【請求項１２】
請求項１〜９のいずれかに記載のサンプリング装置を有する換気扇。
【請求項１３】
請求項１〜９のいずれかに記載のサンプリング装置を有するアレルゲン検査装置。
【発明の詳細な説明】
【技術分野】
【０００１】
本発明は、環境中からアレルゲンを含む粉塵などを採取するために、アレルゲンを含む粉塵などを空気と共に吸引するサンプリング装置およびサンプリング装置を有した掃除機、空気清浄機、換気扇およびアレルゲン検査装置に関する。
【背景技術】
【０００２】
従来、この種のサンプリング装置は、掃除機のホースにメッシュの袋体を装着してアレルゲンを含む粉塵などを採取するダニ抗原採取装置などが知られている（例えば、特許文献１参照）。
【０００３】
以下、そのダニ抗原採取装置について図１１を参照しながら説明する。
【０００４】
図に示すように、ダニ抗原採取装置１０１は電気掃除機本体１０２から延びるホース１０３の先端に装着された細かなメッシュの外側袋体１０４と外側袋体内に装着された粗いメッシュの内側袋体１０５とを備えている。生活環境中のダニ抗原１０６は電気掃除機の吸引力によりダニ抗原採取装置に吸引されて内側袋体を通過して外側袋体に捕集される。
【特許文献１】特開平１０−６２３１６号公報
【発明の開示】
【発明が解決しようとする課題】
【０００５】
このような従来のダニ抗原採取装置では、メッシュの袋体の圧力損失が高いので掃除機の吸引力が低下してしまうという課題があり、吸引力を低下させないでアレルゲンを含む粉塵などをサンプリングすることが要求されている。
【０００６】
また、粉塵などの吸引に伴い、メッシュの袋体に粉塵などが蓄積すると、さらに圧力損失が高くなり、掃除機の吸引力が変動してしまうという課題があり、一定の吸引力でアレルゲンを含む粉塵などをサンプリングすることが要求されている。
【０００７】
また、メッシュの袋体の網目よりも大きな粉塵は全て捕集してしまうので、目的としているアレルゲン以外の大きな粉塵も捕集してしまうという課題があり、目的としているアレルゲン以外の大きな粉塵を捕集しないことが要求されている。
【０００８】
本発明は、このような従来の課題を解決するものであり、吸引力を低下させないでサンプリングすることができ、また、一定の吸引力でサンプリングすることができ、また、目的としているアレルゲン以外の大きな粉塵を捕集しないようにすることのできるサンプリング装置を提供することを目的としている。
【課題を解決するための手段】
【０００９】
本発明のサンプリング装置は上記目的を達成するために、低圧力損失の集塵装置を備えることにより、掃除機の吸引力を低下させないようにしたものである。
【００１０】
この手段により掃除機の吸引力を低下させることなくアレルゲンを含む粉塵などをサンプリングすることができ、また、一定の吸引力でサンプリングすることのできるサンプリング装置が得られる。
【００１１】
また、本発明のサンプリング装置は上記目的を達成するために、電気集塵装置を備えることにより、掃除機の吸引力を低下させないようにしたものである。
【００１２】
この手段により掃除機の吸引力を低下させることなくアレルゲンを含む粉塵などをサンプリングすることができ、また、一定の吸引力でサンプリングすることのできるサンプリング装置が得られる。
【００１３】
また、本発明のサンプリング装置は上記目的を達成するために、粉塵通過部分の流路を吸引管よりも拡大した電気集塵装置を備えることにより、掃除機の吸引力を低下させないようにしたものである。
【００１４】
この手段により掃除機の吸引力を低下させることなくアレルゲンを含む粉塵などをサンプリングすることができ、また、一定の吸引力でサンプリングすることのできるサンプリング装置が得られる。
【００１５】
また、本発明のサンプリング装置は上記目的を達成するために、粉塵の質量差でサンプリング対象を選択できる集塵装置を備えることにより、掃除機の吸引力を低下させないようにしたものである。
【００１６】
この手段により掃除機の吸引力を低下させることなくアレルゲンを含む粉塵などをサンプリングすることができ、また、一定の吸引力でサンプリングすることができ、また、目的としているアレルゲン以外の大きな粉塵を捕集しないことのできるサンプリング装置が得られる。
【００１７】
また、本発明のサンプリング装置は上記目的を達成するために、粉塵通過部分の流路を重力方向に沿って配置した電気集塵装置を備えることにより、掃除機の吸引力を低下させないようにしたものである。
【００１８】
この手段により掃除機の吸引力を低下させることなくアレルゲンを含む粉塵などをサンプリングすることができ、また、一定の吸引力でサンプリングすることができ、また、目的としているアレルゲン以外の大きな粉塵を捕集しないことのできるサンプリング装置が得られる。
【００１９】
また、本発明のサンプリング装置は上記目的を達成するために、付着した粉塵の採取手段を備えた電気集塵装置を備えることにより、掃除機の吸引力を低下させないようにしたものである。
【００２０】
この手段により掃除機の吸引力を低下させることなくアレルゲンを含む粉塵などをサンプリングすることができ、また、一定の吸引力でサンプリングすることができ、また、目的としているアレルゲン以外の大きな粉塵を捕集しないことのできるサンプリング装置が得られる。
【００２１】
また、本発明のサンプリング装置は上記目的を達成するために、付着した粉塵を採取する拭き取り治具を備えた電気集塵装置を備えることにより、掃除機の吸引力を低下させないようにしたものである。
【００２２】
この手段により掃除機の吸引力を低下させることなくアレルゲンを含む粉塵などをサンプリングすることができ、また、一定の吸引力でサンプリングすることができ、また、目的としているアレルゲン以外の大きな粉塵を捕集しないことのできるサンプリング装置が得られる。
【００２３】
また、本発明のサンプリング装置は上記目的を達成するために、付着した粉塵を採取する洗浄手段を備えた電気集塵装置を備えることにより、掃除機の吸引力を低下させないようにしたものである。
【００２４】
この手段により掃除機の吸引力を低下させることなくアレルゲンを含む粉塵などをサンプリングすることができ、また、一定の吸引力でサンプリングすることができ、また、目的としているアレルゲン以外の大きな粉塵を捕集しないことのできるサンプリング装置が得られる。
【００２５】
また、本発明のサンプリング装置は上記目的を達成するために、付着した粉塵を採取する振動手段を備えた電気集塵装置を備えることにより、掃除機の吸引力を低下させないようにしたものである。
【００２６】
この手段により掃除機の吸引力を低下させることなくアレルゲンを含む粉塵などをサンプリングすることができ、また、一定の吸引力でサンプリングすることができ、また、目的としているアレルゲン以外の大きな粉塵を捕集しないことのできるサンプリング装置が得られる。
【発明の効果】
【００２７】
本発明によれば掃除機の吸引力を低下させることなくアレルゲンを含む粉塵などをサンプリングできるという効果のあるサンプリング装置を提供できる。
【００２８】
また、一定の吸引力でサンプリングすることができる効果のあるサンプリング装置を提供できる。
【００２９】
また、目的としているアレルゲン以外の大きな粉塵を捕集しないことができる効果のあるサンプリング装置を提供できる。
【発明を実施するための最良の形態】
【００３０】
本発明の請求項１記載の発明は、低圧力損失の集塵装置を備えたものであり、低い圧力損失でアレルゲンを含む粉塵などをサンプリングするという作用を有する。
【００３１】
また、電気集塵装置を備えたものであり、低い圧力損失でアレルゲンを含む粉塵などをサンプリングするという作用を有する。
【００３２】
また、粉塵通過部分の流路を吸引管よりも拡大した電気集塵装置を備えたものであり、低い圧力損失でアレルゲンを含む粉塵などをサンプリングするという作用を有する。
【００３３】
また、粉塵の質量差でサンプリング対象を選択できる集塵装置を備えたものであり、低い圧力損失でアレルゲンを含む粉塵などをサンプリングするという作用を有する。
【００３４】
また、粉塵通過部分の流路を重力方向に沿って配置した電気集塵装置を備えたものであり、低い圧力損失でアレルゲンを含む粉塵などをサンプリングするという作用を有する。
【００３５】
以下、本発明の実施の形態について図面を参照しながら説明する。
【００３６】
（実施の形態１）
図１に示すように、集塵装置１を備えたサンプリング装置２は吸引管３に装着して用いられる。また、集塵装置１は電気集塵装置４で構成されている。また、電気集塵装置４は高電圧電源５と放電極６と集塵板７から構成されている。集塵装置１の内部には２枚の集塵板が装着されており電気的に接合されている。ここでは図示しないが、吸引管３は電気掃除機などの吸引手段により空気を吸引する構造になっている。サンプリング装置２を吸引管３に接続し、空気の吸引にあわせて電気集塵装置４の高電圧電源５を通電開始すると、開口部８から吸引された粉塵９は放電極６の近傍を通過する際に負に帯電される。負に帯電された粉塵９は正に帯電された集塵板７に引き寄せられて吸着される。
【００３７】
本実施の形態では低圧力損失の集塵装置として電気集塵装置を利用しているので、吸引管により与えられる空気の吸引力に大きな影響を与えることなく、アレルゲンを含む粉塵などをサンプリングすることができる。したがって、電気掃除機による掃除作業と同時に、電気掃除機の本来の吸引力を保持したままアレルゲンを含む粉塵をサンプリングすることができる。また、サンプリングを繰り返す場合や長時間に渡ってサンプリングを継続する場合においても吸引力の変化が少ないので、一定の吸引力で再現性よくアレルゲンを含む粉塵をサンプリングすることができる。
【００３８】
本実施の形態で示すように、電気集塵装置はアレルゲンを含む粉塵のサンプリングが目的であるので、全ての粉塵を採取する必要は無く、サンプリング装置を通過した粉塵は電気掃除機などで捕集すれば良い。
【００３９】
本実施の形態では吸引力を発生する装置は電気掃除機であるとしたが、それに限ったものではなく、環境中のアレルゲンを含む粉塵を吸引できる能力のある装置であれば同様の効果を得ることができる。また、本実施の形態で示したサンプリング装置は吸引した粉塵を全て捕集することはできないので、サンプリング装置を通過した粉塵を捕集できる構造の装置または粉塵を環境に影響を与えない状態に処理できる能力のある装置で吸引することが望ましい。
【００４０】
本実施の形態では電気集塵装置の運転条件に関しては詳細を示さなかったが、目的とするアレルゲンを含む粉塵を効率良く捕集できる条件であれば良く、例えば数１００Ｖ〜数１０００Ｖの高電圧が放電極と集塵板の間に印加される。同様に放電極や集塵板の大きさ、位置、または構造についても詳細を示さなかったが、運転条件と同様に、目的とするアレルゲンを含む粉塵を効率良く捕集できる構造であれば同様の効果を得ることができる。
【００４１】
本実施の形態では粉塵９を開口部８から吸引するとしたが、この方法に限ったものではなく、サンプリング装置２の先端にノズルなどの別の部材を装着しても良く、環境中のアレルゲンを含む粉塵などがサンプリング装置を通過する構造であれば同様の効果を得ることができるものである。
【００４２】
本実施の形態ではアレルゲンを含む粉塵の計測方法については説明しなかったが、特に計測方法の違いによりサンプリング方法が影響を受けるものではなく、どのような計測方法を利用してもよい。例えば、抗原抗体反応を利用したアレルゲン計測キットを使用する場合であれば、サンプリングしたアレルゲンを含む粉塵を水溶液として調整することで計測可能になる。
【００４３】
（実施の形態２）
図２に示すように電気集塵装置４を備えたサンプリング装置２は吸引管３に装着して用いられる。サンプリング装置２の内部にある粉塵通過部分の流路１０は吸引管３の内径よりも拡大されている。実施の形態１と同様にサンプリング装置２を吸引管３に接続し、空気の吸引にあわせて電気集塵装置４の高電圧電源を通電開始すると、開口部８から吸引された粉塵９は放電極の近傍を通過する際に負に帯電される。負に帯電された粉塵９は正に帯電された集塵板に引き寄せられて吸着する。本実施の形態においては粉塵通過部分の流路１０は吸引管３の内径よりも大きいので、粉塵９の通過速度は吸引管３の内部での通過速度よりも遅くなるので、吸引力は維持したままでアレルゲンを含む粉塵を効率よくサンプリングすることができる。つまり、環境中からアレルゲンを含む粉塵を効率よくサンプリングするためには吸引管の風量を増加するなどの方法が考えられるが、電気集塵装置４を粉塵９が通過する速度が速くなり、集塵板で十分に捕集することができなくなる。したがって、サンプリング装置の粉塵通過部分の流路のみを拡大することで、吸引管による吸引力を増加させても集塵板での捕集効率を低減することがなくなる。
【００４４】
本実施の形態では電気集塵装置の運転条件や構造などは明記しなかったが、実施の形態１と同様にアレルゲンを含む粉塵などを効果的に捕集できる条件であれば良い。
【００４５】
また、本実施の形態ではサンプリング装置の開口部の口径については明記しなかったが、吸引管と同等の口径であれば、サンプリング装置の開口部においてサンプリング装置を装着していない場合と同等の吸引力を得ることができる。また、それに限ったものではなく、アレルゲンを含む粉塵などを効果的に捕集できる条件であれば、開口部の口径を吸引管と同等の口径にする必要はなく、開口部の口径を吸引管の口径と異なる大きさとしても良い。
【００４６】
（実施の形態３）
図３に示すように粉塵の質量差でサンプリング対象を選択できる集塵装置としての電気集塵装置４を備えたサンプリング装置２は吸引管３に装着して用いられる。サンプリング装置２の内部にある粉塵通過部分の流路１０は吸引管３の内径よりも拡大されており、さらに重力の方向に沿って配置されている。実施の形態１と同様にサンプリング装置２を吸引管３に接続し、空気の吸引にあわせて電気集塵装置４の高電圧電源を通電開始すると、吸引された粉塵９は放電極の近傍を通過する際に負に帯電される。負に帯電された粉塵９は正に帯電された集塵板に引き寄せられて吸着する。一般的に人間が吸引してアレルギー症状を示すアレルゲンは比較的質量が軽く、サンプリング装置２を通過する際に集塵板に吸着される。一方で、比較的質量が重くて飛散する可能性が少なく、かつ人間が吸引する可能性も少ない粉塵は集塵板に引き寄せられながらも集塵板に吸着されることなくサンプリング装置２を通過してしまう。したがって粉塵の質量差でサンプリング対象を選択することができるものである。また、質量差でサンプリング対象を選択するためには、電気集塵装置４の集塵性能と吸引管３による吸引力のバランスで定めることができる。
【００４７】
本実施の形態では粉塵通過部分の流路を重力方向に沿って配置するものとしたが、この方法に限ったものではなく、気流により発生する遠心力を利用して質量差による選択を実現しても同様の効果を得ることができる。
【００４８】
比較的質量が重くて飛散する可能性が少なく、かつ人間が吸引する可能性も少ない粉塵はアレルゲンとしては監視すべき対象ではないので、サンプリングする必要はない。また目的とするアレルゲンを含む粉塵に、他の種類の粉塵が混入することで、アレルゲンを計測する装置の感度に影響を与える可能性もあるので、必要でない粉塵の混入は避けることが望ましい。
【００４９】
（実施の形態４）
図４に示すように電気集塵装置を備えたサンプリング装置２は吸引管３に装着して用いられる。実施の形態１と同様にサンプリング装置２を吸引管３に接続し、空気の吸引にあわせて電気集塵装置の高電圧電源を通電開始すると、吸引された粉塵９は放電極の近傍を通過する際に負に帯電される。負に帯電された粉塵９は正に帯電された集塵板７に引き寄せられて吸着する。所定の条件でサンプリングした後で電気集塵装置の運転と吸引管による吸引を停止すると、集塵板７の表面にはアレルゲンを含む粉塵が堆積しているので、採取手段１１を上下に動作させることで粉塵を所定の場所に回収することができる。具体的には採取手段１１の先端に拭き取り治具１２が備えられており、つまみ１３を下方向に押すことで、集塵板７の表面に拭き取り治具１２が接触しながら移動する。集塵板７の表面に付着していた粉塵は集塵板７の下部に設けられた回収容器１４に蓄積される。回収容器１４を取り外すことで、簡単にアレルゲンを含む粉塵などを回収することができるものである。
【００５０】
本実施の形態では拭き取り治具が集塵板の表面を下方向に接触しながら移動するとしたが、この方法に限ったものではなく、集塵板の表面に付着していた粉塵を回収できる方法であれば同様の効果を得ることができる。たとえば、回収容器と拭き取り治具を一体化したもので集塵板の表面に接触しながら回収する方法とすればその移動方向については影響を受けるものではない。また回収容器に蓄積することなく拭き取り治具に付着させることでサンプリング装置から粉塵を回収しても同様の効果を得ることができる。
【００５１】
（実施の形態５）
図５に示すように電気集塵装置を備えたサンプリング装置２は吸引管３に装着して用いられる。実施の形態１と同様にサンプリング装置２を吸引管３に接続し、空気の吸引にあわせて電気集塵装置の高電圧電源を通電開始すると、吸引された粉塵９は放電極の近傍を通過する際に負に帯電される。負に帯電された粉塵９は正に帯電された集塵板７に引き寄せられて吸着する。所定の条件でサンプリングした後で電気集塵装置の運転と吸引管による吸引を停止すると、集塵板７の表面にはアレルゲンを含む粉塵が堆積しているので、洗浄手段１５を動作させることで粉塵を所定の場所に回収することができる。具体的には洗浄手段１５の先端に洗浄液噴射ノズル１６が備えられており、洗浄液容器１７に蓄えられた洗浄液が集塵板７の表面に噴射される。集塵板７の表面に付着していた粉塵は洗浄液とともに集塵板７の下部に設けられた回収容器１４に蓄積される。回収容器１４を取り外すことで、簡単にアレルゲンを含む粉塵などを回収することができるものである。
【００５２】
本実施の形態では洗浄液の組成については説明しなかったが、集塵板の表面から粉塵を剥離することができれば同様の効果を得ることができる。また、後の工程で実施するアレルゲンの計測の際に悪影響を与えない組成であることが望ましく、アレルゲン計測の際に必要な化学物質を含んだ組成であっても同様の効果を得ることができる。
【００５３】
（実施の形態６）
図６に示すように電気集塵装置を備えたサンプリング装置２は吸引管３に装着して用いられる。実施の形態１と同様にサンプリング装置２を吸引管３に接続し、空気の吸引にあわせて電気集塵装置の高電圧電源を通電開始すると、吸引された粉塵９は放電極の近傍を通過する際に負に帯電される。負に帯電された粉塵９は正に帯電された集塵板７に引き寄せられて吸着する。所定の条件でサンプリングした後で電気集塵装置の運転と吸引管による吸引を停止すると、集塵板７の表面にはアレルゲンを含む粉塵が堆積しているので、振動手段１８を動作させることで粉塵を所定の場所に回収することができる。具体的には振動手段１８を動作させることで集塵板７が振動するので集塵板７の表面に付着していた粉塵は集塵板７の下部に設けられた回収容器１４に蓄積される。回収容器１４を取り外すことで、簡単にアレルゲンを含む粉塵などを回収することができるものである。
【００５４】
本実施の形態では振動手段１８の動作条件については明記しなかったが、集塵板７の表面から粉塵を剥離させることのできる加速度および周波数の振動であれば同様の効果を得ることができる。例えば超音波振動子により数十ｋＨｚの振動を与えて剥離させるなどの方法であっても同様の効果を得ることができる。
【００５５】
また、本実施の形態では振動手段と集塵極の固定方法については明記しなかったが、振動手段で発生する振動を集塵極に効率よく伝達できる構造であればどのような構造であっても同様の効果を得ることができる。たとえば、振動手段が振動を発生する場合のみ集塵極に接触する構造であっても同様の効果を得ることができる。
【００５６】
（実施の形態７）
図７に示すように掃除機１９は電気集塵装置を備えたサンプリング装置２を有している。掃除機１９は吸い込みノズル２０を備えており、吸い込みノズル２０から吸引された粉塵はサンプリング装置２を通過する。空気の吸引にあわせて電気集塵装置の高電圧電源を通電開始すると、吸引された粉塵は放電極の近傍を通過する際に負に帯電される。負に帯電された粉塵は正に帯電された集塵板に引き寄せられて吸着する。サンプリング対象以外の粉塵はサンプリング装置を通過し、掃除機１９に捕集される。
【００５７】
本実施の形態では掃除機１９の構造については明記しなかったが、粉塵を吸引する機能を有しているのであれば、特に構造を限定するものではなく同様の効果を得ることができる。
【００５８】
（実施の形態８）
図８に示すように空気清浄機２１は電気集塵装置を備えたサンプリング装置２を有している。空気清浄機２１を運転すると吸引された粉塵はサンプリング装置２を通過する。空気の吸引にあわせて電気集塵装置の高電圧電源を通電開始すると、サンプリング装置の開口部８から吸引された粉塵は放電極の近傍を通過する際に負に帯電される。負に帯電された粉塵は正に帯電された集塵板に引き寄せられて吸着する。サンプリング対象以外の粉塵はサンプリング装置２を通過し、空気清浄機２１に捕集される。
【００５９】
本実施の形態では空気清浄機２１の構造については明記しなかったが、粉塵を吸引する機能を有しているのであれば、特に構造を限定するものではなく同様の効果を得ることができる。
【００６０】
（実施の形態９）
図９に示すように換気扇２２は電気集塵装置を備えたサンプリング装置２を有している。換気扇２２はモータ２３とファン２４とグリル２５を備えており、家屋などの建築物の壁２６を貫通して取り付けられている。家屋などの建築物の室内側の空気を室外に排出する機能を有している。換気扇２２を運転すると室内空気中に浮遊していた粉塵が空気と共に吸引され、サンプリング装置２を通過して室外に排出される。空気の吸引にあわせて電気集塵装置の高電圧電源を通電開始すると、サンプリング装置の開口部８から吸引された粉塵は放電極の近傍を通過する際に負に帯電される。負に帯電された粉塵は正に帯電された集塵板に引き寄せられて吸着する。サンプリング対象以外の粉塵はサンプリング装置２を通過し、換気扇２２を通過しグリル２５より室外に排出される。
【００６１】
本実施の形態では換気扇２２の構造については明記しなかったが、粉塵を吸引する機能を有しているのであれば、特に構造を限定するものではなく同様の効果を得ることができる。
【００６２】
また、本実施の形態では換気扇２２は室内の空気を室外に排出する機能を有しているものとしたが、この方法に限ったものではなく、室外の空気を室内に供給する機能を有している換気扇を用いても同様の効果を得ることができる。そのような換気扇の場合には室外の空気中のアレルゲンを含む粉塵などをサンプリングすることになる。
【００６３】
また、室内の空気を循環する機能を有している換気扇を用いても同様の効果を得ることができる。
【００６４】
（実施の形態１０）
図１０に示すようにアレルゲン検査装置２７は電気集塵装置を備えたサンプリング装置２を有している。アレルゲン検査装置２７を運転すると室内空気中に浮遊していた粉塵が空気と共に吸引される。空気の吸引にあわせて電気集塵装置の高電圧電源を通電開始すると、サンプリング装置の開口部８から吸引された粉塵は放電極の近傍を通過する際に負に帯電される。負に帯電された粉塵は正に帯電された集塵板に引き寄せられて吸着する。
【００６５】
本実施の形態ではアレルゲン検査装置２７の構造については明記しなかったが、吸引力を与える機能とサンプリング装置２でサンプリングしたアレルゲンを含む粉塵などを計測できる機能を有していれば同様の効果を得ることができる。アレルゲンを含む粉塵を計測する装置については抗原抗体反応を利用した計測装置などであっても同様の効果を得ることができる。
【００６６】
また、本実施の形態ではサンプリング装置はアレルゲン検査装置の側面に設置されている構造としたが、この構造に限ったものではなく、アレルゲン検査装置の内部にサンプリング装置を設けた構造であっても同様の効果を得ることができる。
【産業上の利用可能性】
【００６７】
このようなサンプリング装置を用いることで、掃除機の吸引力を低下させないで、一定の吸引力で、目的としているアレルゲン以外の大きな粉塵を捕集することなく、サンプリングすることができ、環境中からアレルゲンを含む粉塵などを採取することができる。
【図面の簡単な説明】
【００６８】
【図１】本発明の実施の形態１のサンプリング装置の構造を示す図
【図２】本発明の実施の形態２のサンプリング装置の構造を示す図
【図３】本発明の実施の形態３のサンプリング装置の構造を示す図
【図４】本発明の実施の形態４のサンプリング装置の構造を示す図
【図５】本発明の実施の形態５のサンプリング装置の構造を示す図
【図６】本発明の実施の形態６のサンプリング装置の構造を示す図
【図７】本発明の実施の形態７の掃除機の構造を示す図
【図８】本発明の実施の形態８の空気清浄機の構造を示す図
【図９】本発明の実施の形態９の換気扇の構造を示す図
【図１０】本発明の実施の形態１０のアレルゲン検査装置の構造を示す図
【図１１】従来のサンプリング装置の構造を示す図
【符号の説明】
【００６９】
１  集塵装置
２  サンプリング装置
３  吸引管
４  電気集塵装置
９  粉塵
１０  流路
１１  採取手段
１２  拭き取り治具
１５  洗浄手段
１８  振動手段
１９  掃除機
２１  空気清浄機
２２  換気扇
２７  アレルゲン検査装置
【図１】
2006250680.tif 000003
【図２】
2006250680.tif 000004
【図３】
2006250680.tif 000005
【図４】
2006250680.tif 000006
【図５】
2006250680.tif 000007
【図６】
2006250680.tif 000008
【図７】
2006250680.tif 000009
【図８】
2006250680.tif 000010
【図９】
2006250680.tif 000011
【図１０】
2006250680.tif 000012
【図１１】
2006250680.tif 000013